(57)【要約】【課題】トルマリン等の圧電効果がある装身用部材を使用した装身具において圧電効果を有効に利用できるようにすること。【解決手段】ネックレス１は、トルマリン粒１０、２０、支持具３０およびチェーン４０を備えている。トルマリン粒１０、２０は圧電効果がある装身用部材であり、天秤状の支持具３０の両端部に吊るされた状態で互いに接触できるようになっている。チェーン４０は支持具３０を吊るしている。【選択図】　　　　図１
2004033309.tif 000002
【特許請求の範囲】
【請求項１】
圧電効果がある装身用部材を用いた装身具において、
圧電効果がある複数の装身用部材と、前記複数の装身用部材を吊設する支持具と、この支持具を身体に装着する装着具とを備え、
前記複数の装身用部材が前記支持具に吊設された状態で互いに接触できるようにしたことを特徴とする圧電効果がある装身用部材を用いた装身具。
【請求項２】
請求項１に記載された圧電効果がある装身用部材を用いた装身具において、
前記支持具は天秤状であり、前記支持具の両端部のそれぞれに前記圧電効果がある装身用部材が吊設されていることを特徴とする圧電効果がある装身用部材を用いた装身具。
【発明の詳細な説明】
【０００１】
【発明の属する技術分野】
本発明は、トルマリン等の圧電効果がある装身用部材を用いた装身具に関し、特に、圧電効果がある装身用部材の圧電効果を利用し、従来より多くのマイナスイオンを発生させることができる圧電効果がある装身用部材を用いた装身具に関するものである。
【０００２】
【従来の技術】
トルマリンは、装身用部材であるとともに、圧電効果および焦電効果を備えている。この圧電効果および焦電効果によりトルマリンの表面に電荷が現れる。この電荷により、トルマリンは空気中にマイナスイオンを発生させることができる。このトルマリンを装身具に使用した例が特開平６−３１２０２６号公報に開示されている。特開平６−３１２０２６号公報では、複数のトルマリン粒６１を金属線６３で連綴したネックレス６０が開示されている。そして、各トルマリン粒６１の間に金等の貴金属部材６２が配置されている。このため、各トルマリン粒６１同士は互いに接触しないようになっている。このネックレス６０を首に掛けたときには、このネックレス６０を首に掛けた人の体温により、各トルマリン粒６１の温度が上昇することによる焦電効果により各トルマリン粒６１に電荷が現われ、これにより、各トルマリン粒６１の近傍の空気中にマイナスイオンが発生する。このマイナスイオンがネックレス６０を首に掛けた人の体に影響し、その人の血行の促進、疲労の回復等を図ることができる。
【０００３】
【発明が解決しようとする課題】
しかし、上述の従来例では、トルマリン粒６１の焦電効果のみを利用しているので、トルマリン粒６１の圧電効果を有効に利用することができなかった。このため、ネックレス６０のトルマリン粒６１によるマイナスイオンの発生が充分ではなかった。
そこで、本発明が解決しようとする課題は、圧電効果を有効に利用できる、トルマリン等の圧電効果がある装身用部材を使用した装身具を提供することである。
【０００４】
【課題を解決するための手段】
上記課題を解決するため、請求項１に記載された発明は、圧電効果がある装身用部材を用いた装身具において、圧電効果がある複数の装身用部材と、前記複数の装身用部材を吊設する支持具と、この支持具を身体に装着する装着具とを備え、前記複数の装身用部材が前記支持具に吊設された状態で互いに接触できるようにしたことである。
これにより、装着具により身体に装着された支持具に吊設された圧電効果がある複数の装身用部材がそれぞれマイナスイオンを発生させる。そして、この装身具を身体（首等）に装着した人が動くことにより、前支持具が動くので、前記支持具に吊るされた圧電効果がある複数の装身用部材に力が加わる。このため、この圧電効果がある複数の装身用部材が互いに接触するときに、相互に力を及ぼすことになる。このため、この力を受けた圧電効果がある複数の装身用部材に、圧電効果による電荷が発生するので、マイナスイオンの発生が増加する。
【０００５】
さらに、請求項２に記載された発明は、上記請求項１に記載された発明において、前記支持具は天秤状であり、前記天秤状の支持具の両端部のそれぞれに前記圧電効果がある装身用部材が吊設されていることである。
これにより、圧電効果がある２つの装身用部材を支持具に吊設することが容易になり、さらに、この圧電効果がある２つの装身用部材が相互に接触するようにすることが容易になる。
【０００６】
【発明の実施の形態】
以下、本発明における実施の形態を図面に基づいて説明する。図１は、本発明の実施の形態に係るトルマリンを用いたネックレスを示す。図１において、ネックレス１は、トルマリン粒１０、２０、支持具３０およびチェーン４０を備えている。ネックレス１は、請求項における「装身具」に相当し、トルマリン粒１０、２０は、請求項における「圧電効果がある装身用部材」に相当する。さらに、チェーン４０は、請求項における「装着具」に相当する。
【０００７】
２個のトルマリン粒１０、２０は天秤状の支持具３０で吊下げられている。２個のトルマリン粒１０、２０は支持具３０に吊下げられた状態で相互に接触可能である。即ち、２個のトルマリン粒１０、２０は、支持具３０に吊下げられた状態では互いに接触しているか、または２個のトルマリン粒１０、２０の間に若干の間隙がある状態である。このため、支持具３０に加速度が加わると、２個のトルマリン粒１０、２０は揺れるので、互いに接触したり、離れたりする。２個のトルマリン粒１０、２０が揺れて互いに接触するときに、トルマリン粒１０、２０に圧力が加わって圧電効果によりトルマリン粒１０、２０に電荷が発生する。この電荷によりトルマリン粒１０、２０の近傍の空気中にマイナスイオンが発生する。
【０００８】
トルマリン粒１０は、ほぼ柱状であり、その上面１１と下面１３とは多角形（例えば十四角形）である。側面１２は、上面１１と下面１３に合わせて多角形（例えば十四角形）に形成されている。上面１１の中心部から下面１３の中心部までトルマリン粒１０を貫通する孔１４が形成されている。トルマリン粒２０は、トルマリン粒１０と同様のものである。トルマリン粒２０の上面２１、側面２２、下面２３、孔２４は、それぞれトルマリン粒１０の上面１１、側面１２、下面１３、孔１４に相当する。
【０００９】
支持具３０は、金具３１および一対の棒状体３２、３３を備えている。金具３１の中央部の上側にリング状部３１ａが形成され、金具３１の両端部の下側にリング状部３１ｂ、３１ｃが形成されている。棒状体３２の上端にフック状部３２ａが形成され、棒状体３２の下端に球状部３２ｂが形成されている。同様に、棒状体３３の上端にフック状部３３ａが形成され、棒状体３３の下端に球状部３３ｂが形成されている。フック状部３２ａがリング状部３１ｂに係合し、フック状部３３ａがリング状部３１ｃに係合している。なお、フック状部３２ａ，３３ａはそれぞれリング状部３１ｂ、３１ｃに係合した状態でその係合が外れないようにほぼリング状に変形されている。
棒状体３２は孔１４を挿通し、球状部３２ｂの径は孔１４の径より大きく形成されているので、トルマリン粒１０は棒状体３２で支えられている。同様に、棒状体３３は孔２４を挿通し、球状部３３ｂの径は孔２４の径より大きく形成されているので、トルマリン粒２０は棒状体３３で支えられている（図２参照）。このため、トルマリン粒１０、２０は、支持具３０の両端部に吊下げられている。
【００１０】
チェーン４０は単位部材４１を連結したものである。吊下げ具３４はチェーン４０と金具３１のリング状部３１ａを連結している。なお、吊下げ具３４の下端部は、リング状部３１ａを挿通している。このため、チェーン４０は金具３１の中央部を吊下げることができる。
【００１１】
図２はネックレス１の正面を示し、図３は、図２のＩＩＩ−ＩＩＩ断面を示す。図３において、トルマリン粒１０の断面とトルマリン粒２０の断面は同じ形状である。
【００１２】
図４は、図１のネックレス１の使用状態を説明している。図４において、ネックレス１のチェーン４０が人５０の首５１に掛けられている。トルマリン粒１０、２０はチェーン４０に吊り下げられている。トルマリン粒１０、２０の位置は、例えば人５０の胸腺５２の位置である。
上述のように、人５０が動くことにより、トルマリン粒１０とトルマリン粒２０とが接触したり離れたりするので、トルマリン粒１０、２０に圧力が加わる。なお、この圧力が僅かなものであっても、圧電効果によりトルマリン粒１０、２０に電荷が現れ、この電荷により、トルマリン粒１０、２０の近傍の空気中にマイナスイオンは発生する。
なお、ネックレス１は人５０の衣服の外ではなく、衣服の中に吊下げられるので、トルマリン粒１０、２０は人５０の皮膚に直接接触する。このため、トルマリン粒１０、２０は人５０の体温の影響を受けて温度が変化するので、トルマリン粒１０、２０は焦電効果により電荷を発生させ、この焦電効果による電荷によっても上記マイナスイオンが発生する。
【００１３】
前記マイナスイオンが人５０の体内に取り入れられると、血行を良くして、細胞を活性化させることができる。なお、人５０の皮膚には周囲に比べて電気抵抗が低い部分がある。この部分は、東洋医学でいうツボ（径穴）と一致している。このツボから前記マイナスイオンが人５０の体内に入り込む。このため、トルマリン粒１０、２０をこのツボの近くに配置すると、トルマリン粒１０、２０によるマイナスイオンが人５０の体内に効率よく入ることになる。特に、上述のように胸線５２におけるツボの近くにトルマリン粒１０、２０を配置するとマイナスイオンが人５０の体内に入り易くなる。
また、トルマリンは、遠赤外線を発生させる。この遠赤外線によっても、人の血行を促進する。
【００１４】
なお、上記実施の形態において、トルマリン粒１０、２０は、多角形の柱状であるが、これに限定されず、トルマリン粒１０、２０は、円柱状、球状等の任意の形状でもよい。
また、トルマリンが使用されているが、これに限定されず、圧電効果がある装身用部材であればよい。例えばトルマリンの代わりに水晶等を使用することができる。
また、上記実施の形態において、ネックレスが例示されているが、これに限定されず、圧電効果がある装身用部材を用いた装身具であればよい。
【００１５】
【発明の効果】
請求項１に記載された発明によれば、圧電効果がある装身用部材を用いた装身具によるマイナスイオンの発生を従来より大幅に増加させることができる。
さらに、請求項２に記載された発明によれば、上記請求項１に記載された発明の効果とともに、圧電効果がある２つの装身用部材を使用して圧電効果による電荷を発生させることが容易になるので、マイナスイオンを発生させることが容易になる。
【図面の簡単な説明】
【図１】本発明の実施の形態に係るトルマリン粒を用いたネックレスを示す斜視図である。
【図２】図１のネックレスの正面図である。
【図３】図２のＩＩＩ−ＩＩＩ断面を示す断面図である。
【図４】図１のネックレスの使用状態の説明図である。
【図５】従来のトルマリンを用いたネックレスの正面図である。
【符号の説明】
１　ネックレス（装身具）
１０、２０　トルマリン粒（圧電効果がある装身用部材）
３０　支持具
３１　金具
４０　チェーン（装着具）
【図１】
2004033309.tif 000003
【図２】
2004033309.tif 000004
【図３】
2004033309.tif 000005
【図４】
2004033309.tif 000006
【図５】
2004033309.tif 000007